(57)【特許請求の範囲】
【請求項１】
開動作の際には控え壁と手前側で重なるようにスライドする扉本体と、控え壁の開口側端部に配設される中方立とを備え、中方立の前端部垂直方向略全長に、扉本体表面に対し略直角方向で進退自在となるフィラー部材を設けた片引き戸において、中方立の前面部にフィラー部材が挿入可能で尚且つ側壁に貫通孔を有したスリットを設け、スリット内にフィラー部材を挿入し、貫通孔に挿入配設されるカム材の回動によりフィラー部材が扉本体表面に対し略直角方向で進退自在となるようにしたことを特徴とする片引き戸。
【請求項２】
フィラー部材の横断面形状を略Ｌ字形とし其の一辺に貫通する調整用貫通孔を設け、スリット内に該一辺を挿入し、貫通孔を通して調整用貫通孔にカム材を挿入配設し、このカム材の回動によりフィラー部材が扉本体表面に対し略直角方向で進退自在となるようにしたことを特徴とする請求項１記載の片引き戸。
【請求項３】
カム材は大小２つの円板部を備え、小さい円板部の外面にドライバーが差し込まれるような加工が施され、ドライバーによってカム材が回動されることにより、大きい円板部によってフィラー部材が進退自在に動かされるようにしたことを特徴とする請求項１記載の片引き戸。
【発明の詳細な説明】
【０００１】
【発明の属する技術分野】
本発明は、開動作の際には控え壁と手前側で重なるようにスライドする扉本体と、控え壁の開口側端部に配設される中方立とを備えた片引き戸に関するものである。
【０００２】
【従来の技術】
従来から、図１６、１７に示すように中方立（３）と扉本体（２）との間には、扉本体（２）が円滑にスライド走行できるように隙間（１０）が設けられていた。
【０００３】
これにより、中方立（３）に擦れることなく扉本体（２）を円滑にスライド走行させることができた。
【０００４】
【発明が解決しようとする課題】
しかしながら、上記従来の技術においては、スライド走行用に設けた隙間（１０）が施工の具合により、必要以上に大きくなってしまうことがあり、意匠上好ましくない状態に陥ることがあるという問題を抱えていた。又、これとは逆に施工の具合により必要な隙間（１０）が確保されず、扉本体（２）が中方立（３）に対して擦れてしまうこともあり、スライド走行の際に磨耗等の問題が発生することもあった。
【０００５】
本発明は、上記事由に鑑みてなしたもので、その目的とするところは、中方立と扉本体との隙間を適正な大きさに調整し、意匠的にも充分満足できる隙間とすることのできる片引き戸を提供することにある。
【０００６】
【課題を解決するための手段】
上記目的を達成するために、本発明の片引き戸にあっては、請求項１に記載したように、開動作の際には控え壁と手前側で重なるようにスライドする扉本体と、控え壁の開口側端部に配設される中方立とを備えた片引き戸において、中方立の前端部垂直方向略全長に、扉本体表面に対し略直角方向で進退自在となるフィラー部材を設けている。
【０００７】
これにより、中方立と扉本体との隙間を適正な大きさに調整し、意匠的にも充分満足できる隙間を形成することができる。即ち、施工の際の誤差により、隙間の大きさがばらついてしまっても、このフィラー部材を進退自在に調整することで、隙間の大きさを調整することができる。その結果適正な大きさの隙間とすることができる。
【００１２】
又、本発明の片引き戸にあっては、請求項１、２に記載したように、フィラー部材の横断面形状を略Ｌ字形とし其の一辺に貫通する調整用貫通孔を設けると共に、中方立の前面部に該一辺が挿入可能で尚且つ側壁に貫通孔を有したスリットを設け、スリット内に該一辺を挿入し、貫通孔を通して調整用貫通孔にカム材を挿入配設し、このカム材の回動によりフィラー部材が扉本体表面に対し略直角方向で進退自在となるようにしても良い。
【００１３】
この場合、カム材の回動でフィラー部材の進退を容易に調整できる。即ち、カム材の回動により調整用貫通孔の内周壁前側が押圧された際には、フィラー部材が前方に迫出される。又、同様にカム材の回動により調整用貫通孔の内周壁後側が押圧された際にはフィラー部材が後方に引き込まれる。このようにカム材の回動でフィラー部材の進退を容易に調整することができる。
【００１４】
又、本発明の片引き戸にあっては、請求項３に記載したように、カム材は大小２つの円板部を備え、小さい円板部の外面にドライバーが差し込まれるような加工が施され、ドライバーによってカム材が回動されることにより、大きい円板部によってフィラー部材が進退自在に動かされるようにしても良い。
【００１５】
この場合、小さい円板部の外面にドライバーが差し込まれ、このドライバーによってカム材が回動されることにより、大きい円板部によってフィラー部材が進退自在に動かされる。
【００１６】
【発明の実施の形態】
［第１の参考例］図１乃至３は、本発明の第１の参考例である片引き戸を示す説明図である。
【００１７】
この参考例の片引き戸は、開動作の際には控え壁（１）と手前側で重なるようにスライドする扉本体（２）と、控え壁（１）の開口側端部に配設される中方立（３）とを備えた片引き戸において、中方立（３）の前端部垂直方向略全長に、扉本体（２）表面に対し略直角方向で進退自在となるフィラー部材（４）を設けている。
【００１８】
又、該参考例の片引き戸は、フィラー部材（４）の横断面形状を略Ｌ字形とし其の一辺の内側面部に嵌合突起（５）を設けると共に、中方立（３）の側面部に嵌合突起（５）と嵌合し扉本体（２）表面に対し略直角方向に並ぶ複数の嵌合穴（６）を設け、嵌合突起（５）を選択した嵌合穴（６）に嵌合することで、フィラー部材（４）が扉本体（２）表面に対し略直角方向で進退自在となるようにしてもいる。
【００１９】
又、該参考例の片引き戸は、嵌合突起（５）をフィラー部材（４）の略全長に渡って設けると共に、嵌合穴（６）を中方立（３）の略全長に渡る溝としてもいる。
【００２０】
図１に示すように、本参考例の片引き戸は、中方立（３）と扉本体（２）と縦枠（７）とを備えている。
【００２１】
中方立（３）は横断面長方形の棒材で控え壁（１）の開口側端部に設けられる。中方立（３）は、図２に示すように、側面部に溝状の嵌合穴（６）を有している。本参考例では３本備えており、状況に応じて適切な嵌合穴（６）にフィラー部材（４）を嵌合させる。嵌合穴（６）がある方が控え壁（１）の手前側に配設される。反対側には、ケーシング材埋込み用縦溝（８）が掘り込まれている。
【００２２】
フィラー部材（４）は、図３に示すように、横断面略Ｌ字形で内側面部に嵌合突起（５）を備えている。嵌合突起（５）の断面は鏃状の加工が施してあり、嵌合穴（６）に嵌合した際には外れにくくなるように工夫されている。又、嵌合突起（５）と略平行な外側面部には、軟質繊維（９）が多数設けられており、扉本体（２）とフィラー部材（４）とが擦れても扉本体（２）が磨耗することのないようにもしてある。又、フィラー部材（４）はプラスチックにて成形される。
【００２３】
したがって、以上説明した片引き戸によると、中方立（３）と扉本体（２）との隙間（１０）を適正な大きさに調整し、意匠的にも充分満足できる隙間（１０）を形成することができる。即ち、施工の際の誤差により、隙間（１０）の大きさがばらついてしまっても、このフィラー部材（４）を進退自在に調整することで、隙間（１０）の大きさを調整することができる。その結果適正な大きさの隙間（１０）とすることができる。
【００２４】
又、嵌合穴（６）を選択することで中方立（３）と扉本体（２）との隙間（１０）を適正な大きさに調整することができる。即ち、嵌合穴（６）は扉本体（２）表面に対し略直角方向に並べて複数設けているので、各々の嵌合穴（６）について各々の隙間（１０）間隔を得ることができる。
【００２５】
又、中方立（３）に対するフィラー部材（４）の嵌合を強固なものとすることができる。即ち、中方立（３）の略全長に渡る溝で嵌合するようにするので嵌合強度が増す。又、嵌合穴（６）を溝とすることでフィラー部材（４）を上下方向に調整可能とすることができる。
【００２６】
［第２の参考例］図４は、本発明の第２の参考例である片引き戸を示す説明図である。このものは第１の参考例と異なり嵌合穴（６）が穴として設けられる。
【００２７】
この場合、中方立（３）の加工が簡単になり生産効率を向上させることができる。又、嵌合穴（６）の形状に合わせて嵌合突起（５）も突起物が点在して設けられる。
【００２８】
［第１の実施の形態］図５乃至７は、本発明の請求項１又は２に対応する片引き戸を示す説明図である。
【００２９】
この実施の形態の片引き戸は、請求項１及び請求項２に記載したように、フィラー部材（４）の横断面形状を略Ｌ字形とし其の一辺に貫通する調整用貫通孔（１１）を設けると共に、中方立（３）の前面部に該一辺が挿入可能で尚且つ側壁に貫通孔（１２）を有したスリット（１３）を設け、スリット（１３）内に該一辺を挿入し、貫通孔（１２）を通して調整用貫通孔（１１）にカム材（１４）を挿入配設し、このカム材（１４）の回動によりフィラー部材（４）が扉本体（２）表面に対し略直角方向で進退自在となるようにしている。
【００３０】
このものは、第１の参考例と中方立（３）とフィラー部材（４）が異なり、フィラー部材（４）の進退をカム材（１４）により操作するようにしている。
【００３１】
図５に示すように本実施の形態の中方立（３）は、前面部にスリット（１３）を備えている。このスリット（１３）には横断面略Ｌ字状のフィラー部材（４）の一辺が挿入される。
【００３２】
図６に示すようにフィラー部材（４）は横断面が略Ｌ字状で、その一辺には縦長円形状の調整用貫通孔（１１）が３つ設けてある。この調整用貫通孔（１１）にはカム材（１４）が挿入されてカム材（１４）の回動によりフィラー部材（４）が進退自在に動く。又、調整用貫通穴（１１）の軸方向と略平行な一辺の前面部には軟質繊維（９）が多数設けられている。又、フィラー部材（４）はプラスチックで成形される。
【００３３】
図７に示すようにカム材（１４）は大小の円板部からなる。大きい円板部（１５）の外面にはプラスドライバーが差し込めるように十字穴（１６）加工が施されている。このカム材（１４）は、小さい円板部（１７）を貫通孔（１２）を通して調整用貫通孔（１１）に挿入配設し、大きい円板部（１５）外側面に設けられた十字穴（１６）にドライバーを差し込んで回動する。
【００３４】
したがって、以上説明した片引き戸によると、カム材（１４）の回動でフィラー部材（４）の進退を容易に調整できる。即ち、カム材（１４）の回動により調整用貫通孔（１１）の内周壁前側が押圧された際には、フィラー部材（４）が前方に迫出される。又、同様にカム材（１４）の回動により調整用貫通孔（１１）の内周壁後側が押圧された際にはフィラー部材（４）が後方に引き込まれる。このようにカム材（１４）の回動でフィラー部材（４）の進退を容易に調整することができる。
【００３５】
［第２の実施の形態］図８、９は、本発明の請求項１又は２又は３に対応する片引き戸を示す説明図である。
【００３６】
このものは、第１の実施の形態とカム材（１４）が異なる。このもののカム材（１４）は、円板部（１８）（大きい円板部）と、円板部（１８）内面の端に設けられた突起片（１９）と、円板部（１８）外面の中心に設けられ上面に十字穴（１６）を備えた円柱状突起（２０）（小さい円板部）からなる。突起片（１９）を調整用貫通孔（１１）に挿通し、カム材（１４）を回動させてフィラー部材（４）を進退自在に動かす。
【００３７】
［第３の実施の形態］図１０乃至１３は、本発明の請求項１又は２又は３に対応する片引き戸を示す説明図である。
【００３８】
このものは、フィラー部材（４）の側面に調整用溝（２１）を設け、この調整用溝（２１）にカム材（１４）を挿通し、カム材（１４）を回動させてフィラー部材（４）を進退自在に動かす。
【００３９】
カム材（１４）は大小２つの円板部を備えており、第１の実施の形態のカム材（１４）とよく似てはいるものの十字穴（１６）の配設が異なる。このものは小さい円板部（１７）の外面に十字穴（１６）を設けるようにしており、大きい円板部（１５）が調整用溝（２１）に挿入されてフィラー部材（４）を進退自在に動かす。小さい円板部（１７）は図１２に示すように大きい円板部（１５）の周縁内に納まるようにしても、図１３に示すように半分程度はみだすようにしても良い。
【００４０】
［第３の参考例］図１４は、本発明の第３の参考例である片引き戸を示す説明図である。
【００４１】
この参考例の片引き戸は、フィラー部材（４）の横断面形状を略四角形とすると共にフィラー部材（４）を係止する係止部（２２）を備えた調整用螺子（２３）をフィラー部材（４）の前面部から後面部にかけて通設し、中方立（３）の前面部にフィラー部材（４）を受け入れる縦溝（２４）を設け、縦溝（２４）底部に調整用螺子（２３）の端部を受ける螺子受部（２５）を設けることで、調整用螺子（２３）の螺動によりフィラー部材（４）が扉本体（２）表面に対し略直角方向で進退自在となるようにしている。
【００４２】
調整用螺子（２３）は係止部（２２）として六角ボルトを備えており、六角ボルトがフィラー部材（４）の中程でフィラー部材（４）を係止している。又、調整用螺子（２３）はフィラー部材（４）前面側に頭部（２６）を備えてもおり、この頭部（２６）にドライバーを差し込んで調整用螺子（２３）を螺動させる。螺子受部（２５）は縦溝（２４）底部の貫通した先に設けてあり、調整用螺子（２３）の先端部をこの螺子受部（２５）で受ける。
【００４３】
したがって、以上説明した片引き戸によると、調整用螺子（２３）の螺動でフィラー部材（４）の進退を容易に調整できる。即ち、係止部（２２）を備えた調整用螺子（２３）を通設したフィラー部材（４）を縦溝（２４）内に挿入し、調整用螺子（２３）の端部を螺子受部（２５）に螺合させ、調整用螺子（２３）を螺動させるようにしている。調整用螺子（２３）を螺子受部（２５）に螺合させながら奥に向って進めると、係止部（２２）がフィラー部材（４）を引っ掛け、フィラー部材（４）が連動して奥に進む。このようにして、調整用螺子（２３）の螺動でフィラー部材（４）を容易に調整することができる。
【００４４】
尚、軟質繊維（９）はモヘアとしても良い。又、軟質繊維（９）は図１５に示すように、軟質部（２７）と硬質部（２８）を備えたヒレ状体（２９）としても良い。
【００４５】
【発明の効果】
上述の如く、本発明によれば、中方立と扉本体との隙間を適正な大きさに調整し、意匠的にも充分満足できる隙間を形成することができる。
【００４８】
そして、本発明によれば、カム材の回動でフィラー部材を容易に調整できる。
【図面の簡単な説明】
【図１】  本発明の第１の参考例である片引き戸を示す横断面図である。
【図２】  該片引き戸の中方立を示す説明図である。
【図３】  該片引き戸のフィラー部材を示す説明図である。
【図４】  本発明の第２の参考例である片引き戸の中方立を示す説明図である。
【図５】  本発明の第１の実施の形態である片引き戸の中方立を示す説明図である。
【図６】  該片引き戸のフィラー部材を示す説明図である。
【図７】  該片引き戸のカム材を示す説明図である。
【図８】  本発明の第２の実施の形態である片引き戸を示す説明図である。
【図９】  該片引き戸のフィラー部材にカム材を挿入した際の側面図である。
【図１０】  本発明の第３の実施の形態である片引き戸の中方立にフィラー部材を挿入した際の斜視図である。
【図１１】  該片引き戸の中方立にフィラー部材を挿入した際の横断面図である。
【図１２】  該片引き戸のカム材をである。
【図１３】  該片引き戸のカム材の他の一例である。
【図１４】  本発明の第３の参考例である片引き戸の中方立にフィラー部材を挿入した際の横断面図である。
【図１５】  本発明の第１、第２の参考例、第１、第２の実施の形態で片引き戸のフィラー部材に設ける軟質繊維の代りに配設可能なヒレ状体を示す。
【図１６】  本発明の従来例である片引き戸を示す斜視図である。
【図１７】  本発明の従来例である片引き戸を示す横断面図である。
【符号の説明】
１    控え壁
２    扉本体
３    中方立
４    フィラー部材
５    嵌合突起
６    嵌合穴
１１  調整用貫通孔
１２  貫通孔
１３  スリット
１４  カム材
２２  係止部
２３  調整用螺子
２４  縦溝
２５  螺子受部
【図１】
0004487408.tif 000002
【図２】
0004487408.tif 000003
【図３】
0004487408.tif 000004
【図４】
0004487408.tif 000005
【図５】
0004487408.tif 000006
【図６】
0004487408.tif 000007
【図７】
0004487408.tif 000008
【図８】
0004487408.tif 000009
【図９】
0004487408.tif 000010
【図１０】
0004487408.tif 000011
【図１１】
0004487408.tif 000012
【図１２】
0004487408.tif 000013
【図１３】
0004487408.tif 000014
【図１４】
0004487408.tif 000015
【図１５】
0004487408.tif 000016
【図１６】
0004487408.tif 000017
【図１７】
0004487408.tif 000018